(57)【特許請求の範囲】
【請求項１】
多関節高所作業車のブームの先端にアームを介して取設されるバケットの開口部を被覆して雨水の侵入を防止するためのカバーであって、
不透水性を有する材質からなり前記開口部を被覆するカバー本体と、
前記カバー本体に延設され、前記バケットと前記アームとの連結部の上面及び側面を被覆することで前記カバー本体を前記連結部に係止させる係止部と、
前記カバー本体の縁部又はその近傍で、かつ、前記バケットの側面及び背面上に配設される紐又はバンド状の水平方向固定用具と、
この水平方向固定用具を締めた状態で保持するための第１の固定部と、
前記水平方向固定用具と交差しながら前記バケットの胴部に巻回される紐又はバンド状の垂直方向固定用具と、
この垂直方向固定用具を締めた状態で保持するための第２の固定部と、
前記バケットの側面に形成される足かけ部に掛止されるフックと、
このフックと前記カバー本体とを繋ぐ紐又はバンド状のフック固定用具と、を有し、
前記水平方向固定用具を締めた状態で前記カバー本体を平面視した場合に、前記係止部の側面と、前記バケットの側面上に配設される前記カバー本体と前記水平方向固定用具とは環状に配設されており、
前記フック固定用具は長さ調整機構を備えていることを特徴とする多関節高所作業車用バケットカバー。
【請求項２】
前記係止部は、前記連結部の下面の少なくとも一部を被覆する被覆材、又は、前記連結部の下面に架け渡される掛架材、を一体に備えていることを特徴とする請求項１記載の多関節高所作業車用バケットカバー。
【請求項３】
前記第１の固定部は前記バケットの背面に配置され、
前記第２の固定部は前記バケットの開口部上に配置されていることを特徴とする請求項１又は請求項２に記載の多関節高所作業車用バケットカバー。
【請求項４】
前記フック固定用具の前記フックを備えない側の端部は、前記フックを前記足かけ部に掛止した際に、前記カバー本体と前記フックとの距離が最短となる前記カバー本体の縁部又はその近傍に固定されていることを特徴とする請求項１乃至請求項３のいずれか１項に記載の多関節高所作業車用バケットカバー。
【請求項５】
前記バケットの背面において前記カバー本体の終端部及び角部は合わせ包み状に折り込まれていることを特徴とする請求項１乃至請求項４のいずれか１項に記載の多関節高所作業車用バケットカバー。
【請求項６】
前記バケットの背面の最上層に位置する前記カバー本体の領域には、前記水平方向固定用具を挿通させて保時するための保持部を備えていることを特徴とする請求項５記載の多関節高所作業車用バケットカバー。
【請求項７】
前記第１，第２の固定部、及び、前記長さ調整機構はいずれもバックルであることを特徴とする請求項１乃至請求項６のいずれか１項に記載の多関節高所作業車用バケットカバー。
【発明の詳細な説明】
【技術分野】
【０００１】
本発明は、多関節高所作業車のバケットの開口部を被覆して雨水の侵入を防止するための多関節高所作業車用バケットカバーに関する。
【背景技術】
【０００２】
これまで送電設備の保守点検の際に主に使用されてきた高所作業車は、ブームの先端にバケットが、その向きを変更できない状態で取り付けられていた。
このような高所作業車に設けられるバケットは、上部に開口部を備えた直方体状の容器体からなり、運転席の天井をステップ代わりにして乗降できる構造であった。このような高所作業車のバケットの長辺は、車両の進行方向側の面（正面）と概ね平行に配置されていた。
このような従来型の高所作業車のバケットカバーは、作業員が運転席の天井に乗った状態でその着脱作業をスムースに行えるように、バケットカバーをバケットの開口部に固定するための水平方向固定用ベルトの固定部がバケットの長辺側に配置されていた。
近年、上述のような高所作業車に代わって、ブームの先端においてアームを介してバケットを回動させることができる高性能な多関節高所作業車が普及しつつある。
そして、旧来型の高所作業車のバケットの寸法と、多関節高所作業車のバケットのサイズはほぼ同じであるため、多関節高所作業車のバケットカバーとして旧来型の高所作業車用のバケットカバーがそのまま用いられているという実情がある。
【０００３】
ここで図６，７を参照しながら本願発明の装着対象である多関節高所作業車の概要について説明する。
図６は本発明に係る多関節高所作業車用バケットカバーの装着対象である多関節高所作業車の平面図であり、図７は本発明に係る多関節高所作業車用バケットカバーの被装着対象であるバケットの斜視図である。
図６，７に示すように、本願発明の装着対象であるバケット２０は、多関節高所作業車１６のブーム１７の先端にアーム１８を介して接続され、上部に開口部２１を有する容器体であり、ブーム１７の先端を基軸にアーム１８を回動させることで、バケット２０の向きを変更できる構造になっている。
また、多関節高所作業車１６のバケット２０は、バケット２０の正面２０ｅ（図７を参照）に設けられる連結部１９を介してアーム１８に接続されている。
さらに、図６に示すように、多関節高所作業車１６では旧来型の高所作業車とは異なり、運転席上に直方体型のバケット２０が、その伸長方向が車両の進行方向を向いた状態で格納される。
つまり、多関節高所作業車１６では、旧来型の高所作業車と比較してバケットが平面方向に９０℃回転した状態で格納される。
【０００４】
そして、旧来型の高所作業車用のバケットカバーを図６，７に示すような多関節高所作業車１６のバケットカバーとして用いる場合は、以下に示すような不具合が生じていた。
旧来型の高所作業車用のバケットカバーでは、水平方向固定用ベルトの固定部がバケットの長手方向側面に設けられているため、多関節高所作業車１６のバケット２０に高所作業車用バケットカバーを装着する場合は、水平方向固定用ベルトの固定部の締緩作業を行うために作業者はブーム１７上に乗る必要があった。そして、ブーム１７上は地上からの高さも高く、先細りで足場として好ましい環境ではないために、作業者が転落する恐れがあり極めて危険であった。
また、図６，７に示すような多関節高所作業車１６に旧来型の高所作業車用バケットカバーを装着する場合は、連結部１９が障害となってバケット２０の正面２０ｅ側にカバー本体を係止することができないという課題があった。この場合、多関節高所作業車１６の走行時に高所作業車用バケットカバーが外れてしまう恐れがあった。
さらに、多関節高所作業車１６のバケット２０は、絶縁状態を維持する必要性から水抜き孔を形成することができない。また、バケット２０の位置操作のためにバケット２０には重力センサが設けられており、バケット２０内に水が溜まった場合は重力センサに狂いが生じて、バケット２０を適切に操作できない恐れがあった。
このため、図６，７に示すような多関節高所作業車１６のバケット２０に確実に装着することができ、作業者の安全を確保しながら容易に着脱することができ、装着したまま走行しても外れにくい多関節高所作業車用バケットカバーが必要とされていた。
本願発明と関連する先行技術文献としては以下に示すものが知られている。
【０００５】
特許文献１には「バケットカバー」という名称で高所作業車のバケットの上部開口に取り付けるバケットカバーに関する発明が開示されている。
特許文献１に開示される発明は、特許文献１中に記載される符号をそのまま用いて説明すると、高所作業車１１のバケット２０の上部開口を覆うカバー本体３１を備えたバケットカバー３０であって、カバー本体３１の対向する長辺の各一端側からバケット２０の両側壁の一端側に沿って垂下する一対の固定バンド部５３Ａ,５３Ｂと、バケット２０の底部２１の一端側の縁部に沿うとともにこの底部に当接され且つ両端部が固定バンド部５３Ａ,５３Ｂの下部にそれぞれ固定されたジャケット７０と、固定バンド部の下部またはジャケット７０の端部に一端が固定され、バケット２０の側壁２４,２３に沿って斜めに延びるとともにその他端がカバー本体３１の側辺部に固定された固定バンド部５１Ａ〜５２Ｂとを備えることを特徴とするものである。
特許文献１に開示される発明によれば、第２バンドは、バケットの底部の一端側の縁部に沿って当接させるものであるから、バケットを格納した状態でもバケットレストが邪魔になることがなく、その第２バンドの取り付け作業は簡単なものとなり、バケットカバーの取り付けを簡単に行うことができることになる。このため、バケットを地上に降ろしてバケットカバーを取り付ける必要がなく、最小限の占有面積でバケットカバーの取り付けを行うことができる。
【先行技術文献】
【特許文献】
【０００６】
【特許文献１】特開２００９−１４９４３１号公報
【発明の概要】
【発明が解決しようとする課題】
【０００７】
上述の特許文献１に開示される発明の場合、バケット２０とアーム１２との接続部（符号なし）は、バケット２０の前面（車両の進行方向側を向く面）において開口部から下がった位置に配設されている。
これに対して、本願発明の装着対象である多関節高所作業車１６では、先の図６，７に示すように、アーム１８とバケット２０との連結部１９が、バケット２０の正面２０ｅ側の開口部２１と同じ高さに設けられている。このため、先の図６，７に示すような多関節高所作業車１６に特許文献１に開示される発明を装着しようとすると、バケット２０の正面２０ｅ側の開口部２１にカバー本体を係止することができないという課題があった。
また、特許文献１に開示される発明の場合は、カバー本体３１は固定バンド部５１Ａ〜５３Ａを介して設けられるジャケット７０によりバケット２０に係止されているにすぎず、特許文献１に開示される発明における周縁バンド３２に、万一ゆるみが生じた場合は、バケット２０の正面側に係止されるカバー本体３１がバケット２０の開口部から浮き上がり、カバー本体３１が容易に外れてしまうという懸念があった。
つまり、特許文献１に開示される発明の場合は、実質的にバケット２０の開口部の周囲に周設される周縁バンド３２からなる水平方向の固定構造と、固定バンド部５１Ａ〜５３Ａとジャケット７０の組み合わせからなる鉛直方向の固定構造の２つを備えるものであった。
【０００８】
本発明はかかる従来の事情に対処してなされたものでありその目的は、バケットとアームの連結部がバケットの開口部の正面側と同じ高さに設けられていても支障なく装着でき、多関節高所作業車のブーム上に作業者が乗ることなく安全に着脱作業を行うことができ、車両走行時でもバケットからカバー本体が外れ難い多関節高所作業車用バケットカバーを提供することにある。
【課題を解決するための手段】
【０００９】
上記目的を達成するため請求項１記載の発明である多関節高所作業車用バケットカバーは、多関節高所作業車のブームの先端にアームを介して取設されるバケットの開口部を被覆して雨水の侵入を防止するためのカバーであって、不透水性を有する材質からなり開口部を被覆するカバー本体と、カバー本体に延設され、バケットとアームとの連結部の上面及び側面を被覆することでカバー本体を連結部に係止させる係止部と、カバー本体の縁部又はその近傍で、かつ、バケットの側面及び背面上に配設される紐又はバンド状の水平方向固定用具と、この水平方向固定用具を締めた状態で保持するための第１の固定部と、水平方向固定用具と交差しながらバケットの胴部に巻回される紐又はバンド状の垂直方向固定用具と、この垂直方向固定用具を締めた状態で保持するための第２の固定部と、バケットの側面に形成される足かけ部に掛止されるフックと、このフックとカバー本体とを繋ぐ紐又はバンド状のフック固定用具と、を有し、水平方向固定用具を締めた状態でカバー本体を平面視した場合に、係止部の側面と、バケットの側面上に配設されるカバー本体と水平方向固定用具とは環状に配設されており、フック固定用具は長さ調整機構を備えていることを特徴とするものである。
上記構成の請求項１記載の発明において、カバー本体はバケットの開口部を被覆してバケット内への雨水の侵入を妨げるという作用を有する。
また、係止部は、バケットの正面側の開口部と同じ高さに接続される連結部にカバー本体を係止させるという作用を有する。
さらに、水平方向固定用具は、バケットの側面側に配設されるカバー本体と、連結部の側面上に配設される係止部と、第１の固定部と協働して、バケットの開口部の周囲においてカバー本体を着脱可能に締めつけて固定するという作用を有する。このとき、係止部の側面と、バケットの側面上に配設されるカバー本体と、水平方向固定用具とが一体にかつ環状に配設されることで、請求項１記載の発明に係る構成要素がバケットの水平方向周囲に切れ目なく周設された状態になる。これにより、水平方向固定用具を締めた場合に、バケットの開口部にカバー本体がしっかりと張った状態で装着できる。
また、垂直方向固定用具は、バケットの鉛直方向における胴部に巻回されるもので、すなわち、水平方向固定用具と交差しながらバケットに周設されることで、カバー本体のバケットからの離間を妨げるという作用を有する。なお、この作用はフック及びフック固定用バンドによるカバー本体の固定作用とは別に独立して機能するものであるから、固定用バンドにゆるみが生じた場合でも垂直方向固定用バンドの固定作用に不具合が生じることはない。さらに、第２の固定部は垂直方向固定用具が締まった状態と弛んだ状態の切り替えを行うという作用を有する。
加えて、フック及びフック固定用具は互いに協働して、連結部近傍に配置されるカバー本体をバケットに着脱可能に固定させるという作用を有する。また、フックはバケットの足かけ部に掛止して使用するものであり、作業員はフックの着脱作業をバケットに乗ったまま行える。加えて、フック固定用具は長さ調整可能であるため、フック固定用具によるカバー本体の引張力を所望程度に調節可能にするという作用を有する。
【００１０】
請求項２記載の発明は、請求項１記載の多関節高所作業車用バケットカバーであって、係止部は、連結部の下面の少なくとも一部を被覆する被覆材、又は、連結部の下面に架け渡される掛架材、を一体に備えていることを特徴とするものである。
上記構成の請求項２記載の発明は、請求項１記載の発明と同じ作用に加えて、連結部の下面の少なくとも一部を被覆する被覆材、又は、連結部の下面に架け渡される掛架材を備えることで、係止部を連結部に係止する際に被覆材又は掛架材がストッパーとして作用し、連結部から係止部を外れ難くするという作用を有する。
【００１１】
請求項３記載の発明は、請求項１又は請求項２に記載の多関節高所作業車用バケットカバーであって、第１の固定部はバケットの背面に配置され、第２の固定部はバケットの開口部上に配置されていることを特徴とするものである。
上記構成の請求項３に記載の発明は、請求項１又は請求項２に記載の発明と同じ作用に加えて、第１の固定部をバケットの背面、第２の固定部をバケットの開口部上にそれぞれ配置することで、作業者は水平方向固定用具及び垂直方向固定用具の締緩作業を、バケットの背面側に設けられるステップに居ながらにして行えるようにするという作用を有する。
【００１２】
請求項４記載の発明は、請求項１乃至請求項３のいずれか１項に記載の多関節高所作業車用バケットカバーであって、フック固定用具のフックを備えない側の端部は、フックを足かけ部に掛止した際に、カバー本体とフックとの距離が最短となるカバー本体の縁部又はその近傍に固定されていることを特徴とするものである。
上記構成の請求項４に記載の発明は、請求項１乃至請求項３のそれぞれに記載の発明と同じ作用に加えて、フックとカバー本体との距離を最短にすることで、カバー本体の装着時にフック固定用バンドを緩み難くするという作用を有する。
【００１３】
請求項５記載の発明は、請求項１乃至請求項４のいずれか１項に記載の多関節高所作業車用バケットカバーであって、バケットの背面においてカバー本体の終端部及び角部は合わせ包み状に折り込まれていることを特徴とするものである。
上記構成の請求項５に記載の発明は、請求項１乃至請求項４のそれぞれに記載の発明と同じ作用に加えて、バケットの背面においてカバー本体の終端部及び角部を合わせ包み状に折り込むことで、バケットの開口部とカバー本体とを隙間なく密着させるという作用を有する。このとき、水平方向固定用具を締めつけた際に、カバー本体に生じるしわが少なくなるので、カバー本体装着時の審美性も高まる。
また、請求項５記載の発明では、バケットの背面においてカバー本体が合わせ包み状に折り込まれるので、請求項５記載の発明の製造時に、バケットの背面近傍の側面及び背面を、立体的に成形（例えば、縫製や熱圧着による）する必要がなくなる。これにより、請求項５記載の発明のバケットの前後方向の長さに対する汎用性が高まるとともに、請求項５記載の発明を廉価に製造可能にするという作用を有する。
【００１４】
請求項６記載の発明は、請求項５記載の多関節高所作業車用バケットカバーであって、バケットの背面の最上層に位置するカバー本体の領域には、水平方向固定用具を挿通させて保時するための保持部を備えていることを特徴とするものである。
上記構成の請求項６に記載の発明は、請求項５に記載の発明と同じ作用に加えて、バケットの背面の最上層に位置するカバー本体の領域に保持部を設けることで、この保持部に紐又はバンド状の水平方向固定用具を挿通して引張力を作用させるだけで、バケットの背面に自然に合わせ包み状の折り目を形成させるという作用を有する。この場合、バケットへの請求項６記載の発明の装着容易性を高めるという作用を有する。
【００１５】
請求項７記載の発明は、請求項１乃至請求項６のいずれか１項に記載の多関節高所作業車用バケットカバーであって、第１，第２の固定部、及び、長さ調整機構はいずれもバックルであることを特徴とするものである。
上記構成の請求項７に記載の発明は、請求項１乃至請求項６のそれぞれに記載の発明と同じ作用に加えて、第１，第２の固定部、及び、長さ調整機構をバックルとすることで、水平方向固定用具、垂直方向固定用具、フック固定用具をバックルに挿通してその導出部分を把持して引くだけで、対象物に引張力を作用させて締めつけ固定するという作用を有する。
【発明の効果】
【００１６】
本発明の請求項１記載の発明によれば、カバー本体はバケットの開口部を被覆して、バケット内への雨水の侵入を防ぐという効果を有する。
また、水平方向固定用具及び第１の固定部により、カバー本体をバケットの開口部の周囲に締めつけて固定することができる。
さらに、垂直方向固定用具及び第２の固定部により、バケットの鉛直方向に締めつけてカバー本体を固定することができる。
加えて、フック及びフック固定用具によりカバー本体の前面側をバケットに固定しておくことができる。この場合、バケットへのカバー本体の固定のために、バケットの左右両側面のそれぞれに設けられる足かけ部を利用することで、カバー本体をバケットの前面側に固定するために、垂直方向固定用具のような巻回具を使用する必要がなくなる。また、足かけ部へのフックの着脱作業は作業員がバケット内に乗ったまま行えるので、請求項１記載の発明のバケットへの着脱をスムースにできるだけでなく、請求項１記載の発明を着脱する際の作業員の安全性も確保できる。
さらに、請求項１記載の発明では、カバー本体の前面側と背面側の２ヶ所においてそれぞれが独立してカバー本体をバケットに固定できる仕組みになっている。この場合、万が一水平方向固定用具が緩んで係止部が連結部から外れそうになった場合でも、垂直方向固定用具及び第２の固定部、並びに、フック及びフック固定用具により、カバー本体をバケットにしっかりと固定しておくことができるので、バケットからカバー本体が外れるリスクを大幅に低減できる。
【００１７】
請求項２記載の発明は、請求項１記載の発明と同じ効果に加えて、係止部が被覆材又は掛架材を備えることで、バケット内から作業員が連結部の先端部をすくうように係止部を被せた場合に、被覆材又は掛架材が連結部の下面においてストッパーとして機能して、係止部から連結部がすり抜けるのを防止できる。これにより、バケットへの請求項２記載の発明の装着容易性を大幅に向上できる。
また、係止部に被覆材又は掛架材を設けることで、カバー本体の内側に空気を入り難くすることができる。これにより、請求項２記載の発明を装着して多関節高所作業車が走行した場合でもカバー本体が外れ難くなる。
さらに、装着後にカバー本体をバケットの背面側に引っ張って引張力を作用させた場合でも、係止部を連結部にしっかりと係止させておくことができるので、カバー本体をバケットから外れ難くすることができる。この結果、水平方向固定用具を用いてカバー本体の周縁をバケットの開口部周囲に固定する際に、水平方向固定用具に大きな引張力を作用させることができ、これによりバケットカバー本体を強固に固定できる。
【００１８】
請求項３記載の発明は、請求項１又は請求項２に記載の発明と同じ効果に加えて、作業員は、第１，第２の固定部の操作をバケットの背面側に設けられるステップ（先の図６におけるステップ２２を参照）に立った状態で行うことができる。この場合、作業員は多関節高所作業車のブーム上に乗って作業を行う必要がないので、バケットへの請求項３記載の発明の着脱作業を一層安全に行うことができる。
【００１９】
請求項４記載の発明は、請求項１乃至請求項３のそれぞれに記載の発明と同じ効果に加えて、フックを足かけ部に掛止した際の、フックとカバー本体との距離が最短になるので、フック固定用具に緩みが生じにくくなり、バケットの足かけ部からフックが外れるのを好適に防止できる。よって、バケットからカバー本体を一層外れ難くすることができる。
【００２０】
請求項５記載の発明は、請求項１乃至請求項４のそれぞれに記載の発明と同じ効果に加えて、カバー本体の背面側が予めバケットの形状に沿った立体形状に成形されていなくとも、カバー本体の終端部をバケットの外形に沿ってコンパクトに収納することができる。また、カバー本体を水平方向固定用具で固定する際に、バケットの左右側面上を被覆するカバー本体にしわを生じ難くすることができる。この場合、バケットとカバー本体の間に生じる隙間が少なくなるのでバケット内への雨水の侵入防止効果を一層高めることができる。
また、カバー本体を装着した際のバケットの審美性も高めることができる。
【００２１】
請求項６記載の発明は、請求項５に記載の発明と同じ効果に加えて、保持部に水平用固定用具を挿通させて引張力を作用させるだけで、バケットの背面に配置されるカバー本体の終端部に合わせ包み状の折り目を形成することができる。
これにより、バケットへの請求項６記載の発明の装着を迅速に行うことが可能になる。よって、請求項６記載の発明の装着容易性を向上できる。
【００２２】
請求項７記載の発明は、請求項１乃至請求項６のそれぞれに記載の発明と同じ効果に加えて、第１，第２の固定部、及び、長さ調整機構がバックルであることで、作業員はバックルから導出される第１，第２の固定部、及び、長さ調整機構を引くだけでその引張力を調節することができる。また、バックルを備えることで第１，第２の固定部、及び、長さ調整機構の弛みを好適に防止できる。
よって、請求項７記載の発明によれば、バケットからのカバー本体の外れ防止効果を高めつつ、その装着作業時の作業性を向上できる。
【図面の簡単な説明】
【００２３】
【図１】本発明に係る多関節高所作業車用バケットカバーの平面図である。
【図２】（ａ）本発明に係る多関節高所作業車用バケットカバーの左側から見た側面図である。（ｂ）本発明に係る多関節高所作業車用バケットカバーの右側から見た側面図である。
【図３】本発明に係る多関節高所作業車用バケットカバーの背面図である。
【図４】本発明に係る多関節高所作業車用バケットカバーをバケットに装着した状態を示す斜視図である。
【図５】（ａ）〜（ｃ）はいずれも本発明に係る多関節高所作業車用バケットカバーのバケットの背面におけるカバー本体の折り込み手順を示す概念図である。
【図６】本発明に係る多関節高所作業車用バケットカバーの装着対象である多関節高所作業車の平面図である。
【図７】本発明に係る多関節高所作業車用バケットカバーの装着対象であるバケットの斜視図である。
【発明を実施するための形態】
【００２４】
本発明の実施の形態に係る多関節高所作業車用バケットカバーについて図１乃至図５を参照しながら説明する。
【００２５】
本実施の形態に係る多関節高所作業車用バケットカバーは、先の図６に示すような多関節高所作業車１６に設けられるバケット２０の開口部２１を被覆して、バケット２０内への雨水の侵入を防止するためのものである。
本発明の実施の形態に係る多関節高所作業車用バケットカバーの概要について図１乃至図３を参照しながら説明する。
図１は本発明に係る多関節高所作業車用バケットカバーの平面図である。また、図２（ａ）は本発明に係る多関節高所作業車用バケットカバーの左側から見た側面図であり、（ｂ）は本発明に係る多関節高所作業車用バケットカバーの右側から見た側面図である。さらに、図３は本発明に係る多関節高所作業車用バケットカバーの背面図である。
図１乃至図３に示すように、本実施の形態に係る多関節高所作業車用バケットカバー１は主に、先の図６，７に示すバケット２０の開口部２１を被覆するカバー本体２と、このカバー本体２に延設されて、先の図６に示す連結部１９の上面１９ａ及び側面１９ｂを被覆する係止部３と、カバー本体２を固定するための固定具により構成されている。また、固定具は大まかに３つあり、それぞれの固定具による固定効果は独立して発揮されるものである。
より具体的には、先の図６，７に示すバケット２０に着脱可能にカバー本体２を固定するための固定具は、水平方向固定用バンド４（水平方向固定用バンド４ａ，４ｂ）及びバックル７（第１の固定部）と、垂直方向固定用バンド８（垂直方向固定用具）及びバックル９と、フック１０及びフック固定用バンド１１（フック固定用具）及びそのバックル１２（長さ調節機構）とにより構成されている。
【００２６】
上記固定具のうち水平方向固定用バンド４は、バケット２０の開口部２１の周囲にカバー本体２を固定するためのものであり、カバー本体２の縁部２ｄ又はその近傍で、かつ、図６に示すバケット２０の左右側面２０ｂ，２０ｃ及び背面２０ｄ上に配設され、バックル７を備えることでその締緩の切り替えが可能である（図２，３を参照）。
また、垂直方向固定用バンド８は、図６に示すバケット２０の背面２０ｄ近傍においてバケット２０からカバー本体２が外れるのを防止するためのものであり、カバー本体２が被覆されたバケット２０の胴部に、先の水平方向固定用バンド４と交差しながら巻回されて、バックル９を備えることでその締緩の切り替えが可能である（図１，２を参照）。
さらに、フック１０は、図６に示すバケット２０の正面２０ｅ近傍においてバケット２０からカバー本体２が外れるのを防止するためのものであり、フック固定用バンド１１を介して間接的にカバー本体２に接続されている。また、フック固定用バンド１１にバックル１２を備えることで、フック固定用バンド１１の長さ調整が可能になっている（図２を参照）。
【００２７】
そして、本実施の形態に係る多関節高所作業車用バケットカバー１では、連結部１９の側面１９ｂ（図７を参照）を被覆する係止部３のパーツと、バケット２０の左右側面２０ｂ，２０ｃ上に配設されるカバー本体２のパーツと、水平方向固定用バンド４とが一体につながって環状を成すことで、バケット２０の開口部２１の周囲に多関節高所作業車用バケットカバー１の構成要素が切れ目なく配設されることになる。これにより、バケット２０の開口部２１の周囲に十分な引張力を作用させた状態でカバー本体２を固定することが可能になる。
より具体的に説明すると、上述のような本実施の形態に係る多関節高所作業車用バケットカバー１では、水平方向固定用バンド４に作用する引張力をバケット２０の側面上に配設されるカバー本体２が受け、このカバー本体２に作用する引張力を連結部１９の側面１９ｂ上に配される係止部３のパーツが受け、最終的に係止部３に作用する引張力は連結部１９の側面１９ｂによって支えられる。このため、本実施の形態に係る多関節高所作業車用バケットカバー１では、バケット２０の正面２０ｅ側の開口部２１にカバー本体２を係止することができなくともカバー本体２をバケット２０にしっかりと固定することができる。
なお、水平方向固定用バンド４を締めた状態で保持しておくためのバックル７をバケット２０の背面２０ｄに配設した場合、作業員は図６に示すステップ２２に立った状態で水平方向固定用バンド４の締緩作業を行うことができる。この場合、旧来型の高所作業車用のバケットカバーを多関節高所作業車１６のバケット２０に装着する場合のように、作業員がブーム１７上に移動する必要がなくなるので、本実施の形態に係る多関節高所作業車用バケットカバー１の着脱作業時の作業員の転落事故を確実に防止できる。
【００２８】
また、垂直方向固定用バンド８及びバックル９を備えることで、バケット２０の背面２０ｄ近傍において、カバー本体２をバケット２０にしっかりと固定することができる。なお、垂直方向固定用バンド８及びバックル９によるカバー本体２の固定効果は、フック１０による固定効果とは別に独立して発揮されるため、いずれか一方に弛みが生じた場合でも、他方の固定効果に影響が生じ難い。このため、本実施の形態に係る多関節高所作業車用バケットカバー１によれば、固定具のいずれかに緩みが生じた場合でも、カバー本体２がバケット２０から外れてしまうリスクを大幅に低減することができる。
また、バックル９をバケット２０の開口部２１上に配置しておくことで、垂直方向固定用バンド８の締緩作業についても作業員は図６に示すステップ２２に居ながらにして行うことができる。これにより、本実施の形態に係る多関節高所作業車用バケットカバー１の着脱作業時の安全性を一層高めることができる。
【００２９】
さらに、フック１０，フック固定用バンド１１及びバックル１２を備えることで、バケット２０の正面２０ｅ近傍において、カバー本体２をバケット２０にしっかりと留置くことができる。
このフック１０，フック固定用バンド１１及びバックル１２に代えて、垂直方向固定用バンド８及びバックル９と同様の構成をバケット２０の正面２０ｅ側に設けることもできる。しかしながらこの場合は、作業員がステップ２２に立った状態でバケット２０の正面２０ｅ側にバンドを巻回することは極めて困難であり、仮にできたとしてもカバー本体２の着脱がスムースに行えなくなる。
このような事情に鑑み、本願発明者らは鋭意研究の結果、バケット２０の左右側面２０ｂ，２０ｃに設けられる足かけ部２０ｇを利用してカバー本体２を固定することを考えたのである。
この場合、バケット２０の正面２０ｅ側の胴部にベルトを巻回する必要がないので、カバー本体２の固定作業を迅速かつ確実に行うことができる。また、作業員はバケット２０に乗ったままその足かけ部２０ｇへのフック１０の着脱作業を行うことができる。従って、カバー本体２の着脱作業時の作業性と安全性を大幅に向上できる
【００３０】
なお、本実施の形態においては、水平方向固定用バンド４，垂直方向固定用バンド８及びフック固定用バンド１１として紐を用いることもできる。
また、本実施の形態において水平方向固定用バンド４は、その一の端部をカバー本体２に縫製又は熱圧着等により固定し（固定部６）、他の部分はカバー本体２上に設けたバンド通し５に挿通することで、カバー本体２の縁部２ｄに水平方向固定用バンド４を保持する構成としているが、必ずしもこのように構成する必要はない。
上記方法以外の水平方向固定用バンド４の保持方法として、例えば、水平方向固定用バンド４に代えて紐を用いる場合であれば、カバー本体２の縁部２ｄに、例えば、ハトメ等を用いて孔を形成しておき、この孔に紐を挿通させてカバー本体２の縁部２ｄに保持する構成にしてもよい。
【００３１】
さらに、本実施の形態では水平方向固定用バンド４や垂直方向固定用バンド８を締めた状態で保持するための第１，２の固定部としてバックル７，９を用いる場合を例に挙げて説明しているが、バックル７，９を用いることなく、水平方向固定用バンド４や垂直方向固定用バンド８、又は、これらに代わる紐を結んで、その結び目を第１，２の固定部としてもよい。
この場合、結び方によっては結び目がほどける恐れがあるが、第１，２の固定部の構造を簡素にできるというメリットがある。
【００３２】
また、本実施の形態に係る多関節高所作業車用バケットカバー１では、フック１０とカバー本体２をつなぐフック固定用バンド１１の長さ調節機構として、バックル１２を設けてフック固定用バンド１１の長さを変更可能に構成しているが、フック固定用バンド１１としてその一部又は全部に伸縮性を有する弾性材（例えば、ゴムバンド）を用いて、バックル１２を用いることなくフック固定用バンド１１を長さ調節可能に構成することもできる。この場合、フック１０の着脱作業を容易にできるというメリットがある。
【００３３】
さらに、フック固定用バンド１１のフック１０が接続されない側の端部のカバー本体２への取付け位置については特に特定されないが、カバー本体２の装着時の安定性を考慮すると、バケット２０において足かけ部２０ｇが形成される位置よりも前方側のカバー本体２に固定することが望ましい。
より好ましくは、フック固定用バンド１１のフック１０が接続されない側の端部は、フック１０をバケット２０の足かけ部２０ｇに掛止した際に、フック１０とカバー本体２との距離が最短となる位置に固定しておくことが望ましい。この場合、フック１０を足かけ部２０ｇに掛止した場合に、フック固定用バンド１１を緩みにくくすることができ、これにより、カバー本体２の外れ防止効果を高めることができる。
【００３４】
本実施の形態に係る多関節高所作業車用バケットカバー１において、バケット２０の背面２０ｄ及びその近傍におけるカバー本体２の形状を、例えば、縫製又は熱圧着するなどによりバケット２０の開口部２１の形状に符合する形状に成形しておいてもよい。
この場合、先の図７にも示すように、構造上バケット２０の開口部２１が広がっている場合があるので、カバー本体２の着脱の妨げにならないよう開口部２１の幅よりもカバー本体２の幅を大きめにしておくとよい。
あるいは、図３に示すように、カバー本体２の終端部２ｃをバケット２０の背面２０ｄ上において合わせ包み１４（キャラメル包み）状に折り込んで、その上に水平方向固定用バンド４（水平方向固定用バンド４ａ，４ｂ）を配設する構成としてもよい。
後者の場合、カバー本体２の終端部２ｃを、例えば、縫製又は熱圧着するなどにより予め立体的に成形しておく必要がないので、本実施の形態に係る多関節高所作業車用バケットカバー１の製造コストを廉価にできるというメリットがある。
また、バケット２０の背面２０ｄにおいてカバー本体２の終端部２ｃを合わせ包み１４状に折り込む場合は、バケット２０の縁部２ｄを水平方向固定用バンド４で固定する際に、水平方向固定用バンド４より押さえつけられるカバー本体２にしわを出来にくくすることができる。
このことは、バケット２０の開口部２１とカバー本体２との間に形成される隙間が少なくなることを意味しており、本実施の形態に係る多関節高所作業車用バケットカバー１によるバケット２０内への雨水の侵入防止効果が高まる。加えて、この場合は本実施の形態に係る多関節高所作業車用バケットカバー１をバケット２０に装着した際の審美性も高めることができる。
【００３５】
さらに、図３に示すように、バケット２０の背面２０ｄ上においてカバー本体２の終端部２ｃを合わせ包み１４状に折り込んだ際に、最上層に配置されるカバー本体２に、水平方向固定用バンド４を挿通させるための保持部１３を設けておいてもよい。この場合、保持部１３に水平方向固定用バンド４を挿通させて引張力を作用させるだけでカバー本体２の終端部２ｃに、自然に合わせ包み１４状の折り目を形成できるので、カバー本体２の装着作業を迅速に行うことができる。よって、本実施の形態に係る多関節高所作業車用バケットカバー１の装着時の作業性を向上できる。
【００３６】
また、本実施の形態に係る多関節高所作業車用バケットカバー１では、バケット２０の開口部２１上に配設されるカバー本体２に、棒状の補強材１５をバケット２０の左側面２０ｂから右側面２０ｃに架け渡すように設けておいてもよい。このような補強材１５を備えることで、カバー本体２のバケット２０内への撓みを防止できる。これにより、降雨時に、開口部２１上のカバー本体２に水が溜まるのを防止できる。
なお、補強材１５はカバー本体２に一体に設けても別体に設けてもよいが、その配設方向は、カバー本体２をバケット２０に装着した場合に、補強材１５の伸長方向がバケット２０の左側面２０ｂ又は右側面２０ｃ（図６を参照）に直交する方向であることが望ましい。
この場合、カバー本体２を補強材１５の配設方向と平行に折り畳むことができるので、バケット２０に作業員が乗った状態でのカバー本体２の着脱作業が容易になる。
【００３７】
図４を参照しながら、本実施の形態に係る多関節高所作業車用バケットカバー１をバケット２０に装着した状態について説明する。
図４は本発明に係る多関節高所作業車用バケットカバーをバケットに装着した状態を示す斜視図である。なお、図１乃至図３に記載されたものと同一部分については同一符号を付し、その構成についての説明は省略する。
図４に示すように、多関節高所作業車１６のバケット２０に本実施の形態に係る多関節高所作業車用バケットカバー１を装着した場合、バケット２０の正面２０ｅ側に配されるカバー本体２の端部は、係止部３により連結部１９（図６を参照）に係止される。このため、先の図６に示すように、アーム１８とバケット２０との連結部１９が、バケット２０の正面２０ｅ側の開口部２１と同じ高さに配置される場合でも、支障なくカバー本体２を取り付けることができる。
さらに、カバー本体２をバケット２０に固定する際に、水平方向固定用バンド４の引張力を連結部１９で支えることができるので、バケット２０の開口部２１にカバー本体２がしっかりと張った状態で装着することができる。これにより、バケット２０の開口部２１からカバー本体２を外れ難くすることができる。
加えて、カバー本体２は、フック１０及び垂直方向固定用バンド８によってもバケット２０にしっかりと固定される。特に、垂直方向固定用バンド８はバケット２０の下面２０ｆ上にも架け渡されるので、垂直方向固定用バンド８によりカバー本体２の鉛直上方側への抜けを好適に防止できる。
このように、本実施の形態に係る多関節高所作業車用バケットカバー１では、カバー本体２を水平方向に作用する引張力（水平方向固定用バンド４，バックル７）と、独立してはたらく２つの鉛直方向に作用する引張力（フック１０，フック固定用バンド１１，バックル１２による引張力と、垂直方向固定用バンド８，バックル９による引張力）により固定することができるので、多関節高所作業車１６の走行時でもカバー本体２が外れる恐れは極めて低い。
そして、このような本実施の形態に係る多関節高所作業車用バケットカバー１によれば、バケット２０の不使用時にバケット２０への雨水の侵入を好適に防止できるので、雨水の侵入に伴うバケット２０の操作設備の不具合等の発生を好適に防止できる。
【００３８】
なお、本実施の形態に係る多関節高所作業車用バケットカバー１は、図４に示すように、係止部３に、バケット２０との連結部１９の下面１９ｃの少なくとも一部を被覆する被覆材３ａを備えていてもよい。
この場合、カバー本体２に対して鉛直上方に持ち上げるような力が作用した際に、被覆材３ａがストッパーとして機能して、カバー本体２の外れを好適に防止できる。特に、連結部１９に係止部３を係止させる際に、係止部３から連結部１９が抜けにくくなるので、バケット２０へのカバー本体２の装着作業をスムースに行うことができる。
また、本実施の形態に係る多関節高所作業車用バケットカバー１の係止部３が上述のような被覆材３ａを備える場合は、カバー本体２を装着したまま多関節高所作業車１６を走行させた際に、係止部３の下面側から空気がカバー本体２の内側に入りにくくなる。この点からも、多関節高所作業車１６の走行時にバケット２０から多関節高所作業車用バケットカバー１を外れ難くすることができる。
なお、図４では三角形状の被覆材３ａを係止部３の先端部の下面側に一体に設ける場合を例に挙げて説明しているが、この被覆材３ａに代えて、連結部１９の下面側に紐又はバンド状の掛架材を架け渡した場合（図示せず）も、同等の機能を発揮させることができる。
後者の場合は、係止部３に被覆材３ａを設ける場合に比べて多関節高所作業車用バケットカバー１の構造をシンプルにできるので、本実施の形態に係る多関節高所作業車用バケットカバー１の生産性を向上できるというメリットがある。
【００３９】
ここで図４，６，７を参照しながら本実施の形態に係る多関節高所作業車用バケットカバー１の装着手順について説明する。
本実施の形態に係る多関節高所作業車用バケットカバー１を図６に示すような多関節高所作業車１６のバケット２０に装着するには、まず、多関節高所作業車１６のバケット２０を運転席の天井上に格納してから、作業員が本実施の形態に係る多関節高所作業車用バケットカバー１を持ってバケット２０内に乗り込み、バケット２０に乗った状態でカバー本体２の係止部３を連結部１９に被せるようにして係止させる。
この時、係止部３が上述のような被覆材３ａや図示しない掛架材を備える場合は、連結部１９の先端部を係止部３ですくい上げるように動作することで、係止部３を連結部１９に容易に係止させることができる。
この後、カバー本体２で操作部２０ａ上を被覆した後、バケット２０の正面２０ｅ側から背面２０ｄ側に向かって徐々に広げてバケット２０の開口部２１を被覆しつつ、フック１０をバケット２０の左右側面２０ｂ，２０ｃのそれぞれに設けられる足かけ部２０ｇに掛着してカバー本体２の前方部分をバケット２０に固定する。この時、バックル１２から導出されるフック固定用バンド１１を引くことで、フック固定用バンド１１に作用する引張力を所望程度に調整することができる。
本実施の形態に係る多関節高所作業車用バケットカバー１によれば、連結部１９への係止部３の係止作業も、バケット２０の足かけ部２０ｇへのフック１０の掛着作業も作業員がバケット２０に乗ったまま行うことができるので安全である。
【００４０】
この後、バケット２０に乗ったままの状態で可能な限りの開口部２１をカバー本体２で被覆してから作業員はバケット２０を降りて、その背面２０ｄ側に設けられるステップ２２に移動し、残りの開口部２１をカバー本体２で被覆した後、水平方向固定用バンド４及びバックル７によりカバー本体２の縁部２ｄをバケット２０の開口部２１の周囲に固定する。
なお、カバー本体２の終端部２ｃを合わせ包み１４状に折り込む際の詳細な手順については、後段において図５を参照しながら詳細に説明する。
さらに、作業者はステップ２２に立った状態で垂直方向固定用バンド８をバケット２０の背面２０ｄ側の胴部に、水平方向固定用バンド４と交差させながら巻回して（図４を参照）、垂直方向固定用バンド８及びバックル９によりカバー本体２をバケット２０に固定することで多関節高所作業車用バケットカバー１の装着作業が完了する。
なお、垂直方向固定用バンド８は、水平方向固定用バンド４の動きを妨げないようにカバー本体２の上面に固定しておいてもよいし、カバー本体２とは別体に垂直方向固定用バンド８を設けてもよい。前者の場合は、カバー本体２の不使用時に垂直方向固定用バンド８を紛失してしまう恐れがなく便利である。
また、バケット２０から本実施の形態に係る多関節高所作業車用バケットカバー１を取り外す際は、上述の手順を逆に行えばよい。
【００４１】
このように本実施の形態に係る多関節高所作業車用バケットカバー１によれば、バケット２０へのカバー本体２の着脱作業の全てを、作業員がバケット２０内やステップ２２に居ながらにして行うことができる。
この場合、カバー本体２の着脱のために作業員が多関節高所作業車１６のブーム１７に移動する必要が全くないので、本実施の形態に係る多関節高所作業車用バケットカバー１の着脱作業時の安全性を大幅に向上できる。
なお、カバー本体２の材質としては十分な強度を有し、かつ、不透水性を有するシート材であればどのようなものでも使用できる。カバー本体２の材質としては、例えば、合成樹脂製のシート材や、テント生地を使用するとよい。
【００４２】
最後に図５を参照しながらカバー本体２の終端部２ｃを合わせ包み１４状に折り込む手順について説明する。
図５（ａ）〜（ｃ）はいずれも本発明に係る多関節高所作業車用バケットカバーのバケットの背面におけるカバー本体の折り込み手順を示す概念図である。なお、図１乃至図４，６，７に記載されたものと同一部分については同一符号を付し、その構成についての説明は省略する。また、図５では作業の手順が理解されやすいように、バケット２０及びカバー本体２のみを模式的に示した図で説明する。
本実施の形態に係る多関節高所作業車用バケットカバー１の装着時に、カバー本体２の終端部２ｃを合わせ包み１４状に折り込む場合は、矩形状のシート体をそのままカバー本体２の終端部２ｃとして用いることができる。
そして、上述のようなカバー本体２の終端部２ｃを合わせ包み１４状に折り込むには、まず、図５（ａ）に示すように、バケット２０の開口部２１にカバー本体２を被せて、バケット２０の左側面２０ｂ及び右側面２０ｃからはみ出したカバー本体２を、バケット２０の左側面２０ｂ上及び右側面２０ｃ上にそれぞれ折り込む。
次に、図５（ｂ）に示すように、カバー本体２の角部２ａ，２ｂをバケット２０の背面２０ｄ上に折り込んで、すなわち、図５（ｂ）中の符号Ａで示す方向に折り込んで、カバー本体２の終端部２ｃがバケット２０の背面２０ｄ上に突出した状態にする。
そして最後に、図５（ｃ）に示すように、カバー本体２の終端部２ｃを、バケット２０の背面２０ｄ上に折り込まれた角部２ａ，２ｂ上に折り重ねることで、すなわち、図５（ｃ）中の符号Ｂで示す方向に折り重ねて、カバー本体２を合わせ包み１４状に折り込むことができる。
【００４３】
このように、カバー本体２の終端部２ｃを合わせ包み１４状に折り込む場合は、カバー本体２の終端部２ｃに大掛かりな加工を施す必要がないので、その製造コストを廉価にできるというメリットがある。
また、カバー本体２の終端部２ｃを合わせ包み１４状に折り込む場合は、バケット２０の前後方向の長さの違いに対する本実施の形態に係る多関節高所作業車用バケットカバー１の汎用性を高めることができるというメリットもある。
【産業上の利用可能性】
【００４４】
以上説明したように本発明は、多関節高所作業車におけるアームとバケットの連結部がバケットの開口部と同じ高さに設けられる場合でもバケットに装着することができ、かつ、作業員がバケットやステップに居ながらにして安全にかつスムースにその着脱作業を行うことができ、しかも、装着したまま走行してもバケットから外れにくい多関節高所作業車用バケットカバーであり、多関節高所作業車を含むメンテナンス設備に関する技術分野において利用可能である。
【符号の説明】
【００４５】
１…多関節高所作業車用バケットカバー  ２…カバー本体  ２ａ，２ｂ…角部  ２ｃ…終端部  ２ｄ…縁部  ３…係止部  ３ａ…被覆材  ４，４ａ，４ｂ…水平方向固定用バンド（水平方向固定用具）  ５…バンド通し  ６…固定部  ７…バックル（第１の固定部）  ８…垂直方向固定用バンド（水直方向固定用具）  ９…バックル（第２の固定部）  １０…フック  １１…フック固定用バンド（フック固定用具）  １２…バックル（長さ調節機構）  １３…保持部  １４…合わせ包み  １５…補強材  １６…多関節高所作業車  １７…ブーム  １８…アーム  １９…連結部  １９ａ…上面  １９ｂ…側面  １９ｃ…下面  ２０…バケット  ２０ａ…操作部  ２０ｂ…左側面  ２０ｃ…右側面  ２０ｄ…背面  ２０ｅ…正面  ２０ｆ…下面  ２０ｇ…足かけ部  ２１…開口部  ２２…ステップ
【図１】
0005925756.tif 000002
【図２】
0005925756.tif 000003
【図３】
0005925756.tif 000004
【図４】
0005925756.tif 000005
【図５】
0005925756.tif 000006
【図７】
0005925756.tif 000007
【図６】
0005925756.tif 000008